(57)【要約】【課題】  広告印刷物に掲載される商品情報をＰＯＰ広告票の掲載される商品情報として効果的に流用する事などが可能なＰＯＰ広告票作成装置及び方法、並びにＰＯＰ広告票作成処理プログラム及び記録媒体を提供する。【解決手段】  少なくとも、広告印刷物に掲載される商品情報に係る商品データと、ＰＯＰ広告票の基準画像に係る基準画像データと、前記ＰＯＰ広告票の基準画像上に配置されるべき商品情報の位置を示す配置データと、を記憶するデータ記憶手段と、前記商品データ、前記基準画像データ及び前記配置データを取得するデータ取得手段と、前記取得された前記データに基づいて、前記商品情報を、前記配置データにより示された前記基準画像上の位置に配置してＰＯＰ広告票の画像データを作成するＰＯＰ画像作成手段と、を備える。【選択図】  図１
2005085092.tif 000002
【特許請求の範囲】
【請求項１】
少なくとも、複数種類の商品についての商品情報を広告する広告印刷物に掲載される前記商品情報に係る商品データと、ＰＯＰ広告票の基準画像に係る基準画像データと、前記ＰＯＰ広告票の基準画像上に配置されるべき商品情報の位置を示す配置データと、を記憶するデータ記憶手段と、
前記商品情報の全部又は一部の商品情報に係る商品データ、前記基準画像データ及び前記配置データを取得するデータ取得手段と、
前記取得された前記データに基づいて、前記商品情報を、前記配置データにより示された前記基準画像上の位置に配置してＰＯＰ広告票の画像データを作成するＰＯＰ画像作成手段と、を備えることを特徴とするＰＯＰ広告票作成装置。
【請求項２】
通信ネットワークを介して端末装置が接続可能な請求項１に記載のＰＯＰ広告票作成装置において、
前記通信ネットワークを介して前記端末装置に、前記商品情報の全部又は一部を選択可能に提示する商品情報提示手段を更に備え、
前記データ取得手段は、前記端末装置にて選択された全部又は一部の前記商品情報に係る商品データを取得することを特徴とするＰＯＰ広告票作成装置。
【請求項３】
請求項２に記載のＰＯＰ広告票作成装置において、
前記商品情報提示手段は、前記通信ネットワークを介して前記端末装置に、前記選択された商品情報の全部又は一部を変更可能に提示し、
前記データ取得手段は、前記端末装置にて変更された全部又は一部の商品情報に係る商品データを取得し、
前記ＰＯＰ画像作成手段は、前記取得された前記データに基づいて、前記変更された商品情報を、前記配置データにより示された前記基準画像上の位置に配置してＰＯＰ広告票の画像データを作成することを特徴とするＰＯＰ広告票作成装置。
【請求項４】
請求項２又は３に記載のＰＯＰ広告票作成装置において、
前記商品情報提示手段は、前記通信ネットワークを介して前記端末装置に、前記選択された前記商品情報に付加すべき付加情報の入力を促し、
前記データ記憶手段は、前記ＰＯＰ広告票の基準画像上に配置されるべき商品情報の位置に加えて付加情報の位置を示す配置データを記憶しており、
前記データ取得手段は、前記端末装置にて選択された全部又は一部の商品情報に係る商品データ及び入力された全部又は一部の付加情報に係る付加データを取得し、
前記ＰＯＰ画像作成手段は、前記取得された前記データに基づいて、前記商品情報及び前記付加情報を、前記配置データにより示された前記基準画像上の位置に配置してＰＯＰ広告票の画像データを作成することを特徴とするＰＯＰ広告票作成装置。
【請求項５】
請求項２乃至４の何れか一項に記載のＰＯＰ広告票作成装置において、
前記データ記憶手段は、ＰＯＰ広告票の複数種類の基準画像に係る基準画像データを記憶しており、
前記通信ネットワークを介して前記端末装置に、前記複数種類の基準画像を選択可能に提示する基準画像提示手段と、を更に備え、
前記データ取得手段は、前記端末装置にて選択された基準画像に係る基準画像データを取得することを特徴とするＰＯＰ広告票作成装置。
【請求項６】
請求項２乃至５の何れか一項に記載のＰＯＰ広告票作成装置において、
前記データ記憶手段は、前記ＰＯＰ広告票の基準画像上に配置されるべき商品情報の位置を示す複数種類の配置データを記憶しており、
前記通信ネットワークを介して前記端末装置に、前記複数種類の配置データを選択可能に提示する配置データ提示手段と、を更に備え、
前記データ取得手段は、前記端末装置にて選択された配置データを取得することを特徴とするＰＯＰ広告票作成装置。
【請求項７】
請求項２乃至６の何れか一項に記載のＰＯＰ広告票作成装置において、
前記ＰＯＰ画像作成手段により作成されたＰＯＰ広告票の画像データを前記通信ネットワークを介して前記端末装置に提供するＰＯＰ画像提供手段を更に備えることを特徴とするＰＯＰ広告票作成装置。
【請求項８】
請求項２乃至７の何れか一項に記載のＰＯＰ広告票作成装置において、
前記端末装置は１の店舗用として設置されており、前記商品情報は前記１の店舗の広告印刷物に掲載される商品情報であって、
前記１の店舗の前記商品情報に対応する他の店舗の商品情報を取得する他店舗商品情報取得手段を更に備え、
前記商品情報提示手段は、前記通信ネットワークを介して前記端末装置に、前記１の店舗の前記商品情報を選択可能に提示すると共に、当該商品情報に対応付けて前記取得された他の店舗の商品情報を提示することを特徴とするＰＯＰ広告票作成装置。
【請求項９】
請求項８に記載のＰＯＰ広告票作成装置において、
前記他店舗商品情報取得手段は、移動体通信端末にて入力され、送信された前記他の店舗の商品情報に係る商品データを前記通信ネットワークを介して受信し、取得することを特徴とするＰＯＰ広告票作成装置。
【請求項１０】
請求項２乃至９の何れか一項に記載のＰＯＰ広告票作成装置において、
前記商品情報に対応するＰＯＳ情報を取得するＰＯＳ情報取得手段を更に備え、
前記商品情報提示手段は、前記通信ネットワークを介して前記端末装置に、前記商品情報を選択可能に提示すると共に、当該商品情報に対応付けて前記取得されたＰＯＳ情報を提示することを特徴とするＰＯＰ広告票作成装置。
【請求項１１】
通信ネットワークを介して少なくとも第１及び第２の端末装置が接続可能な請求項１に記載のＰＯＰ広告票作成装置において、
前記データ記憶手段は、ＰＯＰ広告票の複数種類の基準画像に係る基準画像データを記憶しており、
前記通信ネットワークを介して前記端末装置に、前記商品情報の全部又は一部を選択可能に提示する商品情報提示手段と、
前記通信ネットワークを介して前記端末装置に、前記複数種類の基準画像を選択可能に提示する基準画像提示手段と、を更に備え、
前記データ記憶手段は、更に、前記商品情報を前記第１の端末装置と前記第２の端末装置の何れに選択可能に提示するかの設定、及び前記基準画像を前記第１の端末装置と前記第２の端末装置の何れに選択可能に提示するかの設定を記憶しており、
前記商品情報提示手段又は前記基準画像情報提示手段は、前記設定に従って前記第１端末装置又は前記第２の端末装置に前記商品情報の全部又は一部又は前記基準画像を選択可能に提示し、
前記データ取得手段は、前記商品情報が選択可能に提示された端末装置にて選択された全部又は一部の商品情報に係る商品データ、及び前記基準画像が選択可能に提示された前記端末装置にて前記選択された基準画像に係る基準画像データを取得することを特徴とするＰＯＰ広告票作成装置。
【請求項１２】
請求項１１に記載のＰＯＰ広告票作成装置において、
前記通信ネットワークを介して前記端末装置に、前記選択された商品情報の全部又は一部を変更可能に提示する商品情報変更手段を更に備え、
前記データ記憶手段は、前記商品情報を前記第１の端末装置と前記第２の端末装置の何れに変更可能に提示するかの設定を記憶しており、
前記商品情報変更手段は、前記設定に従って前記第１端末装置又は前記第２の端末装置に前記商品情報の全部又は一部を変更可能に提示し、
前記データ取得手段は、前記商品情報が変更可能に提示された前記端末装置にて変更された全部又は一部の商品情報に係る商品データを取得し、
前記ＰＯＰ画像作成手段は、前記取得された前記データに基づいて、前記変更された商品情報を、前記配置データにより示された前記基準画像上の位置に配置してＰＯＰ広告票の画像データを作成することを特徴とするＰＯＰ広告票作成装置。
【請求項１３】
請求項１１に記載のＰＯＰ広告票作成装置において、
前記通信ネットワークを介して前記端末装置に前記選択された商品情報の全部又は一部を提示すると共に、当該商品情報に付加すべき付加情報の入力を促す商品情報付加手段を更に備え、
前記データ記憶手段は、前記ＰＯＰ広告票の基準画像上に配置されるべき商品情報の位置に加えて付加情報の位置を示す配置データ、更には、前記付加情報の入力を前記第１の端末装置と前記第２の端末装置の何れに促すかの設定を記憶しており、
前記商品情報付加手段は、前記設定に従って前記第１の端末装置又は前記第２の端末装置に前記付加情報の入力を促し、
前記データ取得手段は、前記付加情報が促された前記端末装置にて入力された全部又は一部の付加情報に係る付加データを取得し、
前記ＰＯＰ画像作成手段は、前記取得された前記データに基づいて、前記商品情報及び前記付加情報を、前記配置データにより示された前記基準画像上の位置に配置してＰＯＰ広告票の画像データを作成することを特徴とするＰＯＰ広告票作成装置。
【請求項１４】
請求項１１乃至１３の何れか一項に記載のＰＯＰ広告票作成装置において、
前記通信ネットワークを介して前記端末装置に、前記選択された商品情報の全部又は一部を提示すると共に、前記ＰＯＰ広告票の画像データの作成を促すＰＯＰ作成要求手段を更に備え、
前記データ記憶手段は、前記ＰＯＰ広告票の画像データの作成を前記第１の端末装置と前記第２の端末装置の何れに促すかの設定を記憶しており、
前記ＰＯＰ画像作成手段は、前記設定に従って前記第１の端末装置又は前記第２の端末装置に前記ＰＯＰ広告票の画像データの作成を促し、
前記ＰＯＰ広告票の画像データの作成が促された前記端末装置から前記ＰＯＰ広告票の画像データの作成指示があった場合に、前記ＰＯＰ広告票の画像データを作成することを特徴とするＰＯＰ広告票作成装置。
【請求項１５】
請求項１４に記載のＰＯＰ広告票作成装置において、
前記ＰＯＰ画像作成手段により作成されたＰＯＰ広告票の画像データを前記通信ネットワークを介して前記端末装置に提供するＰＯＰ画像提供手段を更に備え、
前記データ記憶手段は、前記ＰＯＰ広告票の画像データの提供を前記第１の端末装置と前記第２の端末装置の何れに行うかの設定を記憶しており、
前記ＰＯＰ画像提供手段は、前記設定に従って前記第１の端末装置又は前記第２の端末装置に前記ＰＯＰ広告票の画像データを提供することを特徴とするＰＯＰ広告票作成装置。
【請求項１６】
請求項１乃至１５の何れか一項に記載のＰＯＰ広告票作成装置において、
前記商品情報は、前記広告印刷物に掲載される商品情報として選定され、前記データ記憶手段に構築された商品データベースに登録された情報であることを特徴とするＰＯＰ広告票作成装置。
【請求項１７】
請求項１乃至１６の何れか一項に記載のＰＯＰ広告票作成装置において、
前記通信ネットワークを介して前記端末装置に、前記複数種類の前記広告印刷物に係る情報を選択可能に提示する広告印刷物提示手段を更に備え、
前記データ取得手段は、前記端末装置にて選択された広告印刷物に係る情報に対応する商品情報に係る商品データを取得することを特徴とするＰＯＰ広告票作成装置。
【請求項１８】
コンピュータを、請求項１乃至１７の何れか一項に記載のＰＯＰ広告票作成装置として機能させることを特徴とするＰＯＰ広告票作成処理プログラム。
【請求項１９】
請求項１８に記載のＰＯＰ広告票作成処理プログラムがコンピュータ読み取り可能に記録されたことを特徴とする記録媒体。
【請求項２０】
通信ネットワークを介して端末装置が接続されたＰＯＰ広告票作成装置におけるＰＯＰ広告票作成方法において、
前記ＰＯＰ広告票作成装置が、前記通信ネットワークを介して前記端末装置に複数種類の商品についての商品情報を広告する広告印刷物に掲載される商品情報を選択可能に提示する工程と、
前記端末装置にて選択された全部又は一部の前記商品情報に係る商品データと、ＰＯＰ広告票の基準画像に係る基準画像データと、前記ＰＯＰ広告票の基準画像上に配置されるべき商品情報の位置を示す配置データと、を取得する工程と、
前記取得された前記データに基づいて、前記商品情報を、前記配置データにより示された前記基準画像上の位置に配置してＰＯＰ広告票の画像データを作成する工程と、を備えることを特徴とするＰＯＰ広告票作成方法。
【発明の詳細な説明】
【技術分野】
【０００１】
本発明は、店舗等に設置された端末装置に対しネットワークを介してＰＯＰ（Point Of Purchase：購買時点）広告票の画像を提供するＰＯＰ広告票作成装置及び方法等の技術分野に関する。
【背景技術】
【０００２】
ＰＯＰ広告票は、店舗において購買者の購買意欲を刺激し販促効果を高める広告手段として使用されている。このＰＯＰ広告票を作成する方法として、特許公報１には、ＰＯＰ広告票に掲載する項目の設定、その項目のレイアウトの設定、データの設定、更には、文字等の書体、大きさ、間隔、色等の属性情報の設定を行う設定手段を設け、容易に任意の種類のＰＯＰ広告票を作成し、必要部数発行することができるＰＯＰ広告票発行装置が開示されている。
【特許文献１】特開平６−１６６２２１号公報
【発明の開示】
【発明が解決しようとする課題】
【０００３】
しかしながら、従来のこのような装置は、例えば新聞の折込チラシ等の広告印刷物を作成する装置と連携していないことから、広告印刷物に掲載される商品情報をＰＯＰ広告票に効果的に流用することはできなかった。
【０００４】
また、従来、ＰＯＰ広告票作成に当たって、店舗とその本部とのワークフローが限定、例えば本部にてＰＯＰ広告票のデータを作成し、店舗にてそのＰＯＰ広告票のデータを修正するというように限定されており、店舗毎の効率化が図られていなかった。
【０００５】
更に、従来のこのような装置では、ＰＯＰ広告票の作成に指標となるような情報（例えば、競合店における商品の売価等）を効果的に利用することはできなかった。
【０００６】
本発明は、以上の点に鑑みてなされたものであり、広告印刷物に掲載される商品情報をそのまま、或いは必要な付加、変更を加えてＰＯＰ広告票の掲載される商品情報として効果的に流用する事などが可能なＰＯＰ広告票作成装置及び方法、並びにＰＯＰ広告票作成処理プログラム及び記録媒体を提供することを目的とする。
【課題を解決するための手段】
【０００７】
上記課題を解決するために、１つの観点における本発明に係るＰＯＰ広告票作成装置は、少なくとも、複数種類の商品についての商品情報を広告する広告印刷物に掲載される前記商品情報に係る商品データと、ＰＯＰ広告票の基準画像に係る基準画像データと、前記ＰＯＰ広告票の基準画像上に配置されるべき商品情報の位置を示す配置データと、を記憶するデータ記憶手段と、前記商品情報の全部又は一部の商品情報に係る商品データ、前記基準画像データ及び前記配置データを取得するデータ取得手段と、前記取得された前記データに基づいて、前記商品情報を、前記配置データにより示された前記基準画像上の位置に配置してＰＯＰ広告票の画像データを作成するＰＯＰ画像作成手段と、を備えることを特徴とする。
【０００８】
また、通信ネットワークを介して端末装置が接続可能な上記ＰＯＰ広告票作成装置において、前記通信ネットワークを介して前記端末装置に、前記商品情報の全部又は一部を選択可能に提示する商品情報提示手段を更に備え、前記データ取得手段は、前記端末装置にて選択された全部又は一部の前記商品情報に係る商品データを取得することを特徴とする。
【０００９】
また、上記ＰＯＰ広告票作成装置において、前記商品情報提示手段は、前記通信ネットワークを介して前記端末装置に、前記選択された商品情報の全部又は一部を変更可能に提示し、前記データ取得手段は、前記端末装置にて変更された全部又は一部の商品情報に係る商品データを取得し、前記ＰＯＰ画像作成手段は、前記取得された前記データに基づいて、前記変更された商品情報を、前記配置データにより示された前記基準画像上の位置に配置してＰＯＰ広告票の画像データを作成することを特徴とする。
【００１０】
また、上記ＰＯＰ広告票作成装置において、前記商品情報提示手段は、前記通信ネットワークを介して前記端末装置に、前記選択された前記商品情報に付加すべき付加情報の入力を促し、前記データ記憶手段は、前記ＰＯＰ広告票の基準画像上に配置されるべき商品情報の位置に加えて付加情報の位置を示す配置データを記憶しており、前記データ取得手段は、前記端末装置にて選択された全部又は一部の商品情報に係る商品データ及び入力された全部又は一部の付加情報に係る付加データを取得し、前記ＰＯＰ画像作成手段は、前記取得された前記データに基づいて、前記商品情報及び前記付加情報を、前記配置データにより示された前記基準画像上の位置に配置してＰＯＰ広告票の画像データを作成することを特徴とする。
【００１１】
また、上記ＰＯＰ広告票作成装置において、前記データ記憶手段は、ＰＯＰ広告票の複数種類の基準画像に係る基準画像データを記憶しており、前記通信ネットワークを介して前記端末装置に、前記複数種類の基準画像を選択可能に提示する基準画像提示手段と、を更に備え、前記データ取得手段は、前記端末装置にて選択された基準画像に係る基準画像データを取得することを特徴とする。
【００１２】
また、上記ＰＯＰ広告票作成装置において、前記データ記憶手段は、前記ＰＯＰ広告票の基準画像上に配置されるべき商品情報の位置を示す複数種類の配置データを記憶しており、前記通信ネットワークを介して前記端末装置に、前記複数種類の配置データを選択可能に提示する配置データ提示手段と、を更に備え、前記データ取得手段は、前記端末装置にて選択された配置データを取得することを特徴とする。
【００１３】
また、上記ＰＯＰ広告票作成装置において、前記ＰＯＰ画像作成手段により作成されたＰＯＰ広告票の画像データを前記通信ネットワークを介して前記端末装置に提供するＰＯＰ画像提供手段を更に備えることを特徴とする。
【００１４】
また、上記ＰＯＰ広告票作成装置において、前記端末装置は１の店舗用として設置されており、前記商品情報は前記１の店舗の広告印刷物に掲載される商品情報であって、前記１の店舗の前記商品情報に対応する他の店舗の商品情報を取得する他店舗商品情報取得手段を更に備え、前記商品情報提示手段は、前記通信ネットワークを介して前記端末装置に、前記１の店舗の前記商品情報を選択可能に提示すると共に、当該商品情報に対応付けて前記取得された他の店舗の商品情報を提示することを特徴とする。
【００１５】
また、上記ＰＯＰ広告票作成装置において、前記他店舗商品情報取得手段は、移動体通信端末にて入力され、送信された前記他の店舗の商品情報に係る商品データを前記通信ネットワークを介して受信し、取得することを特徴とする。
【００１６】
また、上記ＰＯＰ広告票作成装置において、前記商品情報に対応するＰＯＳ情報を取得するＰＯＳ情報取得手段を更に備え、前記商品情報提示手段は、前記通信ネットワークを介して前記端末装置に、前記商品情報を選択可能に提示すると共に、当該商品情報に対応付けて前記取得されたＰＯＳ情報を提示することを特徴とする。
【００１７】
また、通信ネットワークを介して少なくとも第１及び第２の端末装置が接続可能な上記ＰＯＰ広告票作成装置において、前記データ記憶手段は、ＰＯＰ広告票の複数種類の基準画像に係る基準画像データを記憶しており、前記通信ネットワークを介して前記端末装置に、前記商品情報の全部又は一部を選択可能に提示する商品情報提示手段と、前記通信ネットワークを介して前記端末装置に、前記複数種類の基準画像を選択可能に提示する基準画像提示手段と、を更に備え、前記データ記憶手段は、更に、前記商品情報を前記第１の端末装置と前記第２の端末装置の何れに選択可能に提示するかの設定、及び前記基準画像を前記第１の端末装置と前記第２の端末装置の何れに選択可能に提示するかの設定を記憶しており、前記商品情報提示手段又は前記基準画像情報提示手段は、前記設定に従って前記第１端末装置又は前記第２の端末装置に前記商品情報の全部又は一部又は前記基準画像を選択可能に提示し、前記データ取得手段は、前記商品情報が選択可能に提示された端末装置にて選択された全部又は一部の商品情報に係る商品データ、及び前記基準画像が選択可能に提示された前記端末装置にて前記選択された基準画像に係る基準画像データを取得することを特徴とする。
【００１８】
また、上記ＰＯＰ広告票作成装置において、前記通信ネットワークを介して前記端末装置に、前記選択された商品情報の全部又は一部を変更可能に提示する商品情報変更手段を更に備え、前記データ記憶手段は、前記商品情報を前記第１の端末装置と前記第２の端末装置の何れに変更可能に提示するかの設定を記憶しており、前記商品情報変更手段は、前記設定に従って前記第１端末装置又は前記第２の端末装置に前記商品情報の全部又は一部を変更可能に提示し、前記データ取得手段は、前記商品情報が変更可能に提示された前記端末装置にて変更された全部又は一部の商品情報に係る商品データを取得し、前記ＰＯＰ画像作成手段は、前記取得された前記データに基づいて、前記変更された商品情報を、前記配置データにより示された前記基準画像上の位置に配置してＰＯＰ広告票の画像データを作成することを特徴とする。
【００１９】
また、上記ＰＯＰ広告票作成装置において、前記通信ネットワークを介して前記端末装置に前記選択された商品情報の全部又は一部を提示すると共に、当該商品情報に付加すべき付加情報の入力を促す商品情報付加手段を更に備え、前記データ記憶手段は、前記ＰＯＰ広告票の基準画像上に配置されるべき商品情報の位置に加えて付加情報の位置を示す配置データ、更には、前記付加情報の入力を前記第１の端末装置と前記第２の端末装置の何れに促すかの設定を記憶しており、前記商品情報付加手段は、前記設定に従って前記第１の端末装置又は前記第２の端末装置に前記付加情報の入力を促し、前記データ取得手段は、前記付加情報が促された前記端末装置にて入力された全部又は一部の付加情報に係る付加データを取得し、前記ＰＯＰ画像作成手段は、前記取得された前記データに基づいて、前記商品情報及び前記付加情報を、前記配置データにより示された前記基準画像上の位置に配置してＰＯＰ広告票の画像データを作成することを特徴とする。
【００２０】
また、上記ＰＯＰ広告票作成装置において、前記通信ネットワークを介して前記端末装置に、前記選択された商品情報の全部又は一部を提示すると共に、前記ＰＯＰ広告票の画像データの作成を促すＰＯＰ作成要求手段を更に備え、前記データ記憶手段は、前記ＰＯＰ広告票の画像データの作成を前記第１の端末装置と前記第２の端末装置の何れに促すかの設定を記憶しており、前記ＰＯＰ画像作成手段は、前記設定に従って前記第１の端末装置又は前記第２の端末装置に前記ＰＯＰ広告票の画像データの作成を促し、前記ＰＯＰ広告票の画像データの作成が促された前記端末装置から前記ＰＯＰ広告票の画像データの作成指示があった場合に、前記ＰＯＰ広告票の画像データを作成することを特徴とする。
【００２１】
また、上記ＰＯＰ広告票作成装置において、前記ＰＯＰ画像作成手段により作成されたＰＯＰ広告票の画像データを前記通信ネットワークを介して前記端末装置に提供するＰＯＰ画像提供手段を更に備え、前記データ記憶手段は、前記ＰＯＰ広告票の画像データの提供を前記第１の端末装置と前記第２の端末装置の何れに行うかの設定を記憶しており、前記ＰＯＰ画像提供手段は、前記設定に従って前記第１の端末装置又は前記第２の端末装置に前記ＰＯＰ広告票の画像データを提供することを特徴とする。
【００２２】
また、上記ＰＯＰ広告票作成装置において、前記商品情報は、前記広告印刷物に掲載される商品情報として選定され、前記データ記憶手段に構築された商品データベースに登録された情報であることを特徴とする。
【００２３】
また、上記ＰＯＰ広告票作成装置において、前記通信ネットワークを介して前記端末装置に、前記複数種類の前記広告印刷物に係る情報を選択可能に提示する広告印刷物提示手段を更に備え、前記データ取得手段は、前記端末装置にて選択された広告印刷物に係る情報に対応する商品情報に係る商品データを取得することを特徴とする。
【００２４】
他の観点における本発明に係るＰＯＰ広告票作成処理プログラムは、コンピュータを、上記ＰＯＰ広告票作成装置として機能させることを特徴とする。
【００２５】
更に他の観点における本発明に係るＰＯＰ広告票作成方法は、通信ネットワークを介して端末装置が接続されたＰＯＰ広告票作成装置におけるＰＯＰ広告票作成方法において、前記ＰＯＰ広告票作成装置が、前記通信ネットワークを介して前記端末装置に複数種類の商品についての商品情報を広告する広告印刷物に掲載される商品情報を選択可能に提示する工程と、前記端末装置にて選択された全部又は一部の前記商品情報に係る商品データと、ＰＯＰ広告票の基準画像に係る基準画像データと、前記ＰＯＰ広告票の基準画像上に配置されるべき商品情報の位置を示す配置データと、を取得する工程と、前記取得された前記データに基づいて、前記商品情報を、前記配置データにより示された前記基準画像上の位置に配置してＰＯＰ広告票の画像データを作成する工程と、を備えることを特徴とする。
【発明の効果】
【００２６】
本発明によれば、広告印刷物に掲載される商品情報をＰＯＰ広告票の掲載される商品情報として効果的に流用することができるので、少なくとも、適切なＰＯＰ広告票を効率良く作成することができるという効果を奏する。
【発明を実施するための最良の形態】
【００２７】
以下、図面を参照して本発明の最良の実施形態について詳細に説明する。なお、以下に説明する実施の形態は、ＰＯＰ広告票作成システムに対して本発明を適用した場合の実施形態である。
【００２８】
（第１実施形態）
［ＰＯＰ広告票作成システムＳの構成等］
先ず、図１を参照して本発明の第１実施形態にかかるＰＯＰ広告票作成システムの構成について説明する。
【００２９】
図１は、第１実施形態にかかるＰＯＰ広告票作成システムのハードウェア構成の一例を示す図である。図１に示すように、ＰＯＰ広告票作成システムＳは、ＰＯＰ広告票作成装置としてのＰＯＰ広告票作成サーバ１と、例えば流通小売業者の本部用（ここでは１つの本部を示したがこれ以上であってもよい）として設置される本部の端末装置２（第１の端末装置に対応）と、例えば流通小売業者の店舗Ａ，Ｂ用（ここでは２つの店舗を示したがこれ以上であってもよい）として設置される店舗Ａ，Ｂの端末装置３，４（第２の端末装置に対応）と、を含んで構成されており、それらは、通信ネットワークの一例としてのインターネット５に接続されるようになっている。そして、端末装置２〜４は、インターネット５を介してＰＯＰ広告票作成サーバ１に接続し、相互にデータの送受信が可能になっている。なお、通信ネットワークは、インターネットに限定されるものではなく、例えば専用線により構築されたネットワークであってもよい。また、本実施形態においては、３つの端末装置を示したがこれより多く設けても良い。
【００３０】
このような構成において、ＰＯＰ広告票作成サーバ１は、端末装置（２〜４の何れか）からの要求に従って複数種類の商品についての商品情報を広告する広告印刷物に掲載される商品情報等を用いてＰＯＰ広告票の画像データを作成し、要求があった端末装置に提供するなどの処理を行う。なお、本部、店舗Ａ、及び店舗Ｂのそれぞれには、固有の識別情報（例えば、ユーザＩＤ）が割り当てられており、端末装置２〜４のユーザは、それぞれの識別情報を用いて、ＰＯＰ広告票作成サーバ１にアクセスすることになる。
【００３１】
また、本実施形態においては、ＰＯＰ広告票作成サーバ１は、例えばインターネット５上で情報提供サービスを行うＷｅｂサーバとして説明する。
【００３２】
ここで、複数種類の商品についての商品情報を広告する広告印刷物には、例えばチラシ、カタログ、パンフレット等が含まれ、専ら一つの商品について商品情報を掲載するＰＯＰ広告票とは区別される。
【００３３】
次に、図２乃至図６を参照して第１実施形態にかかるＰＯＰ広告票作成サーバ１の構成及び機能について説明する。
【００３４】
図２は、ＰＯＰ広告票作成サーバ１の概要構成を示す機能ブロック図である。ＰＯＰ広告票作成サーバ１は、図２に示すように、制御部１１、記憶部１２、及び通信部１３等を備えたコンピュータにより構成される。なお、これらの構成要素の他にも、オペレータが指示入力を行うための入力部（キーボードやマウス等）や、各種情報を表示する表示部（モニタ等）を備えているが図示を省略している。
【００３５】
制御部１１は、演算機能を有するＣＰＵ、作業用ＲＡＭ、及び各種プログラムやデータを記憶するＲＯＭ等によって構成される。そして、ＣＰＵが例えばＲＯＭ或いは記憶部１２に記憶されたＰＯＰ広告票作成処理プログラムを実行することにより、コンピュータがＰＯＰ広告票作成サーバ１として機能するようになっている。このＰＯＰ広告票作成処理プログラムは、ＰＯＰ広告票作成サーバ１が端末装置２〜４に対して提供するサービスに対応した複数のアプリケーションプログラムからなっている。また、各アプリケーションプログラムの実行により、制御部１１は、本発明における広告印刷物提示手段、商品情報提示手段（商品情報変更手段及び商品情報付加手段を含む）、基準画像提示手段、配置データ提示手段、データ取得手段、ＰＯＰ画像作成手段、ＰＯＰ画像提供手段等として機能するようになっている。これらの各手段についての詳細な説明は、後述する。
【００３６】
なお、ＰＯＰ広告票作成処理プログラムは、例えばインターネット５上の他のサーバからサーバ１にダウンロードされるようにしてもよいし、ＣＤ−ＲＯＭ等の記録媒体に記録されてＣＤ−ＲＯＭ等のドライブを介してサーバ１に提供されるようにしてもよい。
【００３７】
記憶部１２は、例えばハードディスクドライブ（ＨＤＤ）等のデータ記憶手段からなり、ここには、広告印刷物用商品データベース（ＤＢ）１２ａ、ＰＯＰ用商品データベース（ＤＢ）１２ｂ、ＰＯＰ基準画像データベース（ＤＢ）１２ｃ、配置データベース（ＤＢ）１２ｄ、ＰＯＰ作成画像データベース（ＤＢ）１２ｅ、選択リンクデータベース（ＤＢ）１２ｆ、権限設定データベース（ＤＢ）１２ｇ、及び提示画面データベース（ＤＢ）１２ｈが構築されている。その他にも、本システムＳのユーザ登録データベース等が記憶部１２に構築されているが図示を省略している。
【００３８】
広告印刷物用商品データベース１２ａには、上記広告印刷物に掲載される商品情報に係る商品データが広告印刷物（当該告印刷物には固有の広告印刷物コードや名称、サイズ・種別等の情報が付与される）毎に対応付けられて記憶（登録）されている。例えば、広告印刷物は、新聞の折込チラシのように大小様々な複数の領域に区分されており、各領域に掲載される商品数、各商品について掲載すべき商品情報が決められている（一般に、本部の販促部門及び商品部門にて決定）。
【００３９】
このような商品情報は、例えば本部の端末装置２から例えばサーバ１にて広告印刷物掲載商品選定アプリケーションを起動させることによって広告印刷物用商品データベース１２ａに広告印刷物毎に登録（この登録処理は公知であるので詳しい説明を省略）されることになる。つまり、広告印刷物用商品データベース１２ａは、広告印刷物の作成のために構築されたデータベースであり、当該商品情報は、広告印刷物に掲載される商品情報として選定され、広告印刷物用商品データベース１２ａに登録された情報である。
【００４０】
そして、商品情報には、広告印刷物上に配置される文字、画像、イラスト、ロゴ、マーク等の情報が含まれ、例えば、商品コード、商品名、メーカ名、ＪＡＮコード、商品仕様（サイズ、重量、材質、色等）や規格、商品価格（メーカ希望価格、通常価格、売価）、割引率、商品の画像（商品の外観が撮影されたもの）、商品のキャッチコピー、商品の購買促進情報、セール名（広告印刷物に掲載された商品が販売されるセールの名称）、セール期間等が含まれる。また、広告印刷物用商品データベース１２ａには、複数種類の商品についての上記商品情報が記憶されており、各商品における商品情報は互い対応付けられている。登録された商品情報は、通常、ＤＴＰ（Desk Top Publishing）システムにて広告印刷物の版面の所定位置に割り付けられる。なお、ＤＴＰシステムに関しては本発明と直接の関係がないので詳しい説明を省略する。
【００４１】
ＰＯＰ用商品データベース１２ｂには、ＰＯＰ広告票の基準画像上に配置される上記商品情報に係る商品データが記憶（登録）される。この商品情報は、広告印刷物用商品データベース１２ａに記憶された商品情報うちから選択されてＰＯＰ用商品データベース１２ｂに記憶される。より具体的には、ＰＯＰ広告票の画像データが作成される場合において、広告印刷物用商品データベース１２に記憶された複数種類の商品についての上記商品情報がインターネット５を介してＰＯＰ広告票作成サーバ１から端末装置に選択可能に提示（例えば、商品情報選択入力欄が設けられた商品情報選択画面が端末装置のモニタ上に表示）され、端末装置にて選択（１又は複数）された商品情報（ＰＯＰ広告票の基準画像上に配置するとして選択）に係る商品データがＰＯＰ用商品データベース１２ｂに記憶されることになる。このように選択された商品情報は、店舗の識別情報に対応付けられて、店舗（Ａ，Ｂ）毎に管理されるようになっている。なお、各店舗の商品情報の選択は、後述する提示設定に従って、店舗の端末装置（３又は４）、或いは本部の端末装置２の何れかで行われることになる。
【００４２】
また、上記のように選択された商品情報は変更（例えば、広告印刷物に掲載された売価を変更）することも可能である。例えば、ＰＯＰ用商品データベース１２ｂに記憶された上記商品情報が、ＰＯＰ広告票作成サーバ１から端末装置に変更可能に提示（例えば、商品情報編集画面が端末装置のモニタ上に表示）され、端末装置にて変更された商品情報に係る商品データがＰＯＰ用商品データベース１２ｂにおいて更新されることになる。これにより、ＰＯＰ広告票固有の商品情報（例えば、割引率等）を設定することができる。なお、各店舗の商品情報の変更は、後述する権限設定に従って、店舗の端末装置（３又は４）、或いは本部の端末装置２の何れかで行われることになる。
【００４３】
更に、上記のように選択された商品情報には付加情報（例えば、その商品についてのＰＯＰ広告票に掲載すべき店舗固有のＰＯＰコメント）を付加することも可能である。例えば、ＰＯＰ用商品データベース１２ｂに記憶された上記商品情報に付加すべき付加情報の入力が、ＰＯＰ広告票作成サーバ１から端末装置に促され（例えば、商品情報編集画面が端末装置のモニタ上に表示され）、端末装置にて入力された付加情報に係る付加データが、これに対応する商品データに対応付けられてＰＯＰ用商品データベース１２ｂに記憶されることになる。なお、各店舗の付加情報の付加は、後述する提示設定に従って、店舗の端末装置（３又は４）、或いは本部の端末装置２の何れかで行われることになる。
【００４４】
ＰＯＰ基準画像データベース１２ｃには、ＰＯＰ広告票の複数種類の基準画像に係る基準画像データが、基準画像コードに対応付けられて記憶されている。この基準画像は、最終的に端末装置に提供するＰＯＰ広告票の画像の基礎となるものである。また、上記基準画像の種類としては、大、中、小のように大きさが異なるものや、デザイン（レイアウト）が異なるものなど様々な種類がある。この基準画像中にも、広告印刷物には無いＰＯＰ広告票固有の情報（例えば、店長の声等）を設定することができる。
【００４５】
また、使用する上記基準画像の選択は、例えば、ＰＯＰ広告票作成サーバ１から端末装置に、複数種類の基準画像が選択可能に提示（例えば、ＰＯＰ基準画像選択画面が端末装置のモニタ上に表示）され、端末装置にて選択（１又は複数）されることによってなされる。なお、各店舗の基準画像の選択は、後述する権限設定に従って、店舗の端末装置（３又は４）、或いは本部の端末装置２の何れかで行われることになる。また、上記基準画像は、例えば、ＰＯＰ広告票作成サーバ１のオペレータ等によって作成され記憶されるようにしてもよいし、流通小売業者によって端末装置等において作成され記憶されるようにしてもよい。
【００４６】
配置データベース１２ｄには、ＰＯＰ広告票の基準画像上に配置されるべき商品情報若しくは付加情報の位置を示す配置データが配置コード及び上記基準画像コードに対応付けられて記憶されている。つまり、上記基準画像毎に対応した１又は複数種類の配置データが記憶されていることになる。
【００４７】
図３（Ａ）は、ＰＯＰ広告票の基準画像の一例を示す図であり、図３（Ｂ）及び（Ｃ）は、配置データにより示される商品情報若しくは付加情報の位置の例を示す図である。図３（Ｂ）の例では、ＰＯＰ広告票の基準画像の上部の領域５０には商品情報の中の「セール名」が、中央部の領域５１には「商品の画像」が、中央部の領域５２には付加情報としての「ＰＯＰコメント」が、中央部の領域５３には「商品名」が、下部の領域５４には商品情報の中の「売価」が、それぞれ位置（配置）されるようになっている。上記配置データは、このような商品情報若しくは付加情報の基準画像上における位置を示しており、例えば、各領域と、商品情報若しくは付加情報との対応付けを示している。各領域は、例えば、基準画像上における左上頂点の座標（Ｘ１，Ｙ１）と、右下頂点の座標（Ｘ２，Ｙ２）によって示される。また、配置データには、各領域に配置される商品情報の表示形式（文字の場合：フォント、書体、間隔、色等。画像、イラスト及びロゴの場合：大きさや色等）を示す情報が含まれている。
【００４８】
また、同一のＰＯＰ広告票の基準画像に対して複数種類の配置データが記憶される場合、例えば、図３（Ｃ）の例では、ＰＯＰ広告票の基準画像の上部の領域５５には商品情報の中の「キャッチコピー」が、中央部の領域５６には「商品の画像」が、中央部の領域５７には「商品名」が、下部の領域５８には商品情報の中の「売価」が、それぞれ位置（配置）されるようになっており、図３（Ｂ）の例とは当該基準画像の種類は同じであるが、当該基準画像上に配置される商品情報の内容や大きさ等が異なっている。このように複数種類の配置データが存在する場合、使用する配置データの選択は、例えば、ＰＯＰ広告票作成サーバ１から端末装置に、複数種類の配置データが選択可能に提示（例えば、ＰＯＰ広告票の基準画像の選択が行われる配置データ選択画面が端末装置に表示され）され、端末装置にて選択（１又は複数）されることによってなされる。なお、各店舗のＰＯＰ広告票の基準画像に対応する配置データの選択は、後述する権限設定に従って、店舗の端末装置（３又は４）、或いは本部の端末装置２の何れかで行われることになる。また、上記配置データは、例えば、ＰＯＰ広告票作成サーバ１のオペレータ等によって作成され記憶されるようにしてもよいし、流通小売業者によって端末装置等において作成され記憶されるようにしてもよい。
【００４９】
ＰＯＰ作成画像データベース１２ｅには、上記商品情報が基準画像上の位置（配置データで示される位置）に配置されて作成されたＰＯＰ広告票の画像データが作成画像コードに対応付けられて記憶される。更に、作成されたＰＯＰ広告票の画像データは、店舗の識別情報に対応付けられて、店舗（Ａ，Ｂ）毎に管理されるようになっている。
【００５０】
図４は、作成されたＰＯＰ広告票の画像の一例を示す図である。図４に示す画像は、図３（Ｂ）に示す配置に従って実際の商品情報が配置されて作成されている。このように作成された画像データは、店舗の端末装置や、本部の端末装置に提供されることになる。
【００５１】
選択リンクデータベース１２ｆには、上述したように選択された各データ（商品データ、基準画像データ、配置データ）の対応付けを示す選択リンクデータが記憶されている。
【００５２】
図５は、選択リンクデータベース１２ｆにおける選択リンクデータの内容の一例を示す図である。図５に示すように、選択リンクデータでは、店舗の識別情報と、商品コードと、基準画像コードと、配置コードとが対応付けられている。例えば、店舗Ａについては、３つの商品についての商品情報（商品コード：０００１、０００２、０００５）が選択され、そのうち商品コード「０００１」の商品情報については基準画像データ（基準画像コード：１００１）と配置データ（配置コード：２００１）選択されていることがわかる。このような選択リンクデータは、上記のように各データが選択される度に更新されることになる。
【００５３】
権限設定データベース１２ｇには、上記商品情報を本部の端末装置２と店舗の端末装置３，４の何れに選択可能に提示するかの設定（以下、「商品情報選択（登録）権限設定」という）と、ＰＯＰ広告票の基準画像及びそれに対応する配置データを本部の端末装置３，４と店舗の端末装置の何れに選択可能に提示するかの設定（以下、「ＰＯＰ基準画像選択権限設定」という）と、商品情報を本部の端末装置２と店舗の端末装置３，４の何れに変更可能に提示するかの設定（以下、「商品情報変更権限設定」という）と、付加情報の入力を本部の端末装置２と店舗の端末装置３，４の何れに促すかの設定（以下、「商品情報付加権限設定」という）と、作成されたＰＯＰ広告票の画像データの作成を本部の端末装置２と店舗の端末装置３，４の何れに促すかの設定（以下、「ＰＯＰ画像作成権限設定」という）と、ＰＯＰ広告票の画像データの提供を本部の端末装置２と店舗の端末装置３，４の何れに行うかの設定（以下、「ＰＯＰ画像取得権限設定」という）と、が店舗の識別情報に対応付けられて登録（記憶）されている。
【００５４】
図６は、権限設定データベース１２ｇにおける各設定の一例を示す図である。図６に示すように、店舗Ａでは、全ての権限設定が「店舗」になっている。つまり、店舗Ａについては、上記商品情報の選択、変更及び付加情報の付加、更には、ＰＯＰ広告票の基準画像及び配置データの選択、ＰＯＰ広告票の画像データの作成及び取得が、店舗の端末装置３にて行われることになる。一方、店舗Ｂでは、ＰＯＰ画像作成権限設定及びＰＯＰ画像取得権限設定を除く全ての権限設定が「本部」になっているため、店舗の端末装置４では、商品情報及びＰＯＰ広告票の基準画像等の選択が行われないことになる。
【００５５】
このように、店舗毎に各権限設定を個別に行うことができ、店舗毎にワーク（業務）フローを異ならせることができる。例えば、大きい店舗に対しては人手を割けるので図６に示す店舗Ａのように設定し、小さい店舗に対してはあまり人手が割けないので、図６に示す店舗Ｂのように設定すればより効果的である。もちろん、店舗Ａと店舗Ｂとで同一の権限設定にしてもよい。
【００５６】
また、流通小売業者毎に各権限設定を異ならせるようにすることも可能である。例えば、流通小売業者Ｖについては全店舗の権限設定を図６に示す店舗Ａのようにし、流通小売業者Ｗについては全店舗の権限設定を図６に示す店舗Ｂのようにすることができる。なお、上記各権限設定は、例えば、本部の端末装置２にて行われるように構成してもよいし、各店舗がその店舗の端末装置にて自己の権限設定を行うように構成してもよい。
【００５７】
そして、上記権限設定に従ってアプリケーションプログラムが選定されることになり、ＰＯＰ広告票作成サーバ１から端末装置２〜４に提供されるサービスが決定されることになる。
【００５８】
提示画面データベース１２ｈには、上記設定に従ってＰＯＰ広告票作成サーバ１から端末装置２〜４に提示される（端末装置のモニタ上に表示される）、例えば後述する識別情報入力画面、店舗選択画面、提供サービス選択画面、広告印刷物選択画面、商品情報選択画面、ＰＯＰ基準画像等表示画面、ＰＯＰ基準画像選択画面、配置データ選択画面、商品情報編集画面、ＰＯＰ作成・取得画面等の画面データが、例えば、ＷｅｂページデータとしてＨＴＭＬ（Hyper Text Markup Language）やＸＭＬ（Extensible Markup Language）形式（画面上のどの位置に文字や画像を埋め込むかを規定している。また、画面上における各種ボタン及びアイコン等は公知のハイパーリンク機能を有するように設定されている）等で記憶されている。
【００５９】
なお、上記データベース１２ａ〜１２ｈ等は、データベースサーバに設けられ、そこで管理されるようにしてもよい。
【００６０】
通信部１３は、インターネット５を介して端末装置２〜４との間でデータ通信を行うためのものであり、制御部１１から送信すべきデータ（信号）が入力されると、当該信号に対して予め設定されている出力インターフェース処理を実行し、当該信号をインターネット５を介して端末装置に出力し、端末装置からインターネット５を介して送信されたデータ（信号）に対して予め設定されている入力インターフェース処理を実行し、制御部１１に出力するようになっている。
【００６１】
次に、端末装置２〜４には、例えば汎用のパーソナルコンピュータを適用でき、ＣＰＵ等からなる制御部、ＨＤＤ等の記憶部、キーボード，マウス等の入力部、モニタ等の表示部、及び通信部等を備えており、作成されたＰＯＰ広告票等を印刷するための印刷機（プリンタ）が接続されている。また、端末装置２〜４は、ＰＯＰ広告票作成サーバ１から送信されたＷｅｂページデータ等を受信してモニタ上に表示させるＷｅｂブラウザ機能を有している。これにより、端末装置２〜４のモニタ上には、各種画面が表示されるとともに、その画面上に上記ＰＯＰ広告票の画像や文字等が表示されることになる。
【００６２】
［ＰＯＰ広告票作成システムＳの動作］
次に、第１実施形態にかかるＰＯＰ広告票作成システムＳの動作についてＰＯＰ広告票作成サーバ１を主体として説明する。なお、以下の説明では、店舗Ａの端末装置３がＰＯＰ広告票作成サーバ１にアクセスした場合の例について説明するが、適宜、他の端末装置２又は４からのアクセスであった場合にはどのように処理が変化するかについても述べることとする。
【００６３】
先ず、図７を参照してＰＯＰ広告票作成サーバ１にて実行される提供サービス選択処理について説明する。
【００６４】
図７は、ＰＯＰ広告票作成サーバ１の制御部１１における提供サービス選択処理を示すフローチャートである。
【００６５】
先ず、店舗Ａの端末装置３のユーザが入力部を操作してＰＯＰ広告票作成サーバ１のＵＲＬ（Uniform Resource Locator）を指定すると、当該端末装置３がインターネット５を介してＰＯＰ広告票作成サーバ１に接続し通信回線を確立する。
【００６６】
図７の処理において、ＰＯＰ広告票作成サーバ１の制御部１１は、上記接続（アクセス）に応じて、提示画面データベース１２ｈに記憶された識別情報入力画面の画面データ等を取得してインターネット５を介して端末装置３に提示（送信）する（ステップＳ１）。
【００６７】
こうして端末装置３のモニタ上に識別情報入力画面（図示せず）が表示され、当該画面上には識別情報及びパスワードを入力するための識別情報入力欄及び実行ボタン等が設けられている。
【００６８】
このような表示状態において、ユーザが端末装置３の入力部、例えばキーボードを操作して識別情報入力欄に識別情報及びパスワードを入力し実行ボタンをマウスにより指定（クリック）すると、入力された識別情報及びパスワードがインターネット５を介してＰＯＰ広告票作成サーバ１に送信される。
【００６９】
ＰＯＰ広告票作成サーバ１の制御部１１が、かかる識別情報及びパスワードを受信すると（ステップＳ２：Ｙ）、受信された識別情報及びパスワードが例えば本システムＳのユーザ登録データベース（店舗名若しくは本部名と、識別情報と、パスワードとが対応付けられて登録）に登録されているか否かを判断し（ステップＳ３）、登録されていない場合には（ステップＳ３：Ｎ）、端末装置３のモニタ上にエラーメッセージを表示させ（ステップＳ４）、処理を終了する。
【００７０】
一方、受信された識別情報及びパスワードが登録されている場合には（ステップＳ３：Ｙ）、制御部１１は、ユーザ登録データベースに基づき、その識別情報が本部の識別情報であるか否かを判別する（ステップＳ５）。ここでは店舗Ａの識別情報であるため、制御部１１は、その識別情報が本部の識別情報でないと判別し（ステップＳ５：Ｎ）、ステップＳ９に移行することになる。
【００７１】
ところで、仮に、本部の端末装置２からの接続であった場合、制御部１１は本部の識別情報を受信することになるため、ステップＳ５では、その識別情報が本部の識別情報でないと判別され（ステップＳ５：Ｙ）、ステップＳ６に移行する。ステップＳ６では、制御部１１が提示画面データベース１２ｈに記憶された店舗選択画面の画面データ等を取得してインターネット５を介して本部の端末装置２に提示（送信）する。こうして端末装置２のモニタ上に表示された店舗選択画面（図示せず）には、店舗名（店舗Ａ，Ｂ）の一覧が表示されており、例えばユーザが入力部を操作して一つの店舗名を選択すると、制御部１１は、これを認識（ステップＳ７：Ｙ）し、その店舗の識別情報を取得する（ステップＳ８）。以後、本部の識別情報ではなく、取得した店舗の識別情報に基づいて処理が行われる（例えば、ＰＯＰ用商品データベース１２ｂに記憶される商品データに対応付けられる識別情報、選択リンクデータベース１２ｆに記憶される商品コード等に対応付けられる識別情報、及びＰＯＰ作成画像データベース１２ｅに記憶されるＰＯＰ広告票の画像データに対応付けられる識別情報等は、本部の端末装置２からの接続であっても、ステップＳ８にて取得された店舗の識別情報となる）。
【００７２】
ステップＳ９では、制御部１１は、権限設定データベース１２ｇに記憶された各権限設定を参照し、上記受信された店舗の識別情報に対応する各権限設定に従ってアプリケーションプログラムの選定（提供サービスの決定）及び各種パラメータ等の設定を行う。なお、本部の端末装置２からの接続であった場合、ステップＳ９では、ステップＳ８で取得された店舗の識別情報に対応する各権限設定に従ってアプリケーションプログラムの選定等の設定を行うことになる。
【００７３】
続いて、制御部１１は、アプリケーションプログラムの選定（提供サービスの決定）及び各種パラメータ等の設定に基づき、提示画面データベース１２ｈに記憶された提供サービス選択画面の画面データ等を取得し、インターネット５を介して端末装置３に提示（送信）する（ステップＳ１０）。
【００７４】
こうして端末装置３のモニタ上に表示された提供サービス選択画面の一例を図８に示す。図８に示すように、提供サービス選択画面３１には、商品情報選択処理アイコン３１ａ、ＰＯＰ基準画像選択処理アイコン３１ｂ、商品情報編集処理アイコン３１ｃ、及びＰＯＰ画像作成・取得処理アイコン３１ｄが設けられている。ここに表示されるアイコンは、上記権限設定に基づいており、例えば、図６に示す権限設定データベース１２ｇでは、店舗Ａの識別情報に対して、全ての権限設定が「店舗」になっているため、全てのアイコン３１ａ〜３１ｄが表示されるようになっている。
【００７５】
ところで、仮に、店舗Ｂの端末装置４からの接続であった場合、かかる識別情報に対しては、図６に示すように、ＰＯＰ画像作成権限設定及びＰＯＰ画像取得権限設定のみが「店舗」になっているため、提供サービス選択画面３１には、ＰＯＰ画像作成・取得処理アイコン３１ｄのみが表示されることになる。また、仮に、本部の端末装置２からの接続であり、上記ステップＳ７にて店舗Ｂが認識されていた場合、その権限設定に基づき、提供サービス選択画面３１には、商品情報選択処理アイコン３１ａ、ＰＯＰ基準画像選択処理アイコン３１ｂ、及び商品情報編集処理アイコン３１ｃが表示されることになる。
【００７６】
このような表示状態において、ユーザが端末装置３の入力部、例えばマウスにより所望の処理アイコンを選択（指定）すると、制御部１１は、これを認識し（ステップＳ１１：Ｙ）、選択された処理アイコンに応じた処理を実行する（ステップＳ１２）。より具体的には、商品情報選択処理アイコン３１ａが選択された場合には商品情報選択処理が、ＰＯＰ基準画像選択処理アイコン３１ｂが選択された場合にはＰＯＰ基準画像選択処理が、商品情報編集処理アイコン３１ｃが選択された場合には商品情報編集処理が、ＰＯＰ画像作成・取得処理アイコン３１ｄが選択された場合にはＰＯＰ画像作成・取得処理が、それぞれ実行されることになる。
【００７７】
次に、図９乃至図２０を参照して、商品情報選択処理、ＰＯＰ基準画像選択処理、商品情報編集処理及びＰＯＰ画像作成・取得処理について順次説明する。
【００７８】
始めに、商品情報選択処理について説明する。
【００７９】
図９は、ＰＯＰ広告票作成サーバ１の制御部１１における商品情報選択処理を示すフローチャートである。
【００８０】
図９に示す商品情報選択処理が実行されると、制御部１１は、広告印刷物提示手段として機能し、広告印刷物用商品データベース１２ａを参照して提示に必要な情報を取得すると共に、提示画面データベース１２ｈに記憶された広告印刷物選択画面の画面データ等を取得して、インターネット５を介して端末装置３に提示（送信）する（ステップＳ２１：つまり、複数種類の広告印刷物に係る情報を選択可能に提示する）。
【００８１】
こうして端末装置３のモニタ上に表示された広告印刷物選択画面の一例を図１０に示す。
【００８２】
図１０に示すように、広告印刷物選択画面３２には、複数種類の広告印刷物に係る情報（例えば、セール期間、セール名、広告印刷物名、広告印刷物のサイズ・種別など）が一覧（リスト）形式で表示されていると共に、各広告印刷物に係る情報に対応して選択入力欄３２ａ、及び登録ボタン３２ｂが設けられている。
【００８３】
このような表示状態において、ユーザが端末装置３の入力部、例えばマウスを操作して所望の広告印刷物の選択入力欄３２ａをチェック（つまり、広告印刷物に係る情報を選択）して、登録ボタン３２ｂを指定（クリック）すると、制御部１１は、指定された広告印刷物に係る情報を認識し（ステップＳ２２：Ｙ）、続いて、データ取得手段として機能し、広告印刷物用商品データベース１２ａを参照して、選択された広告印刷物に係る情報に対応する商品情報（つまり、選択された広告印刷物に掲載される商品情報）に係る商品データを取得する（ステップＳ２３）。なお、ユーザは、複数の広告印刷物の選択入力欄３２ａをチェックし、複数の広告印刷物に係る情報を選択することもできる。
【００８４】
続いて、制御部１１は、商品情報提示手段として機能し、提示画面データベース１２ｈに記憶された商品情報選択画面の画面データ等を取得して、当該画面データ等及び上記取得した商品データを、インターネット５を介して端末装置３に提示（送信）する（ステップＳ２４：つまり、複数種類の商品についての商品情報を選択可能に提示する）。
【００８５】
こうして端末装置３のモニタ上に表示された商品情報選択画面の一例を図１１に示す。
【００８６】
図１１に示すように、商品情報選択画面３３には、複数種類の商品についての商品情報（例えば、広告印刷物における商品の位置、商品の画像、商品名、メーカ名、ＪＡＮコード、商品のキャッチコピー、商品価格（メーカ希望価格、通常価格、売価））が一覧（リスト）形式で表示（商品の仕様等を表示してもよい）されていると共に、各商品に対応した選択入力欄３３ａ、及び登録ボタン３３ｂが設けられている。
【００８７】
このような表示状態において、ユーザが端末装置３の入力部、例えばマウスを操作して所望（ＰＯＰ広告票の作成を望む）の商品の選択入力欄３３ａをチェック（つまり、商品情報を選択）して、登録ボタン３３ｂを指定（クリック）すると、制御部１１は、選択された１又は複数の商品についての商品情報を認識（つまり、端末装置３からインターネット５を介して選択された商品情報を示すデータが送信され認識される）し（ステップＳ２５：Ｙ）、選択された商品情報に係る商品データを広告印刷物用商品データベース１２ａから取得して、店舗Ａの識別情報に対応付けてＰＯＰ用商品データベース１２ｂに記憶する（ステップＳ２６）。更に、制御部１１は、上記選択された商品情報に対応する商品コード及び店舗Ａの識別情報を対応付けて選択リンクデータベース１２ｆに記憶（登録）する（ステップＳ２７）。こうして、ＰＯＰ広告票に掲載される商品情報が選択され、図７に示す提供サービス選択処理に戻る（ステップＳ１０に戻る）。
【００８８】
なお、広告印刷物に掲載される商品情報が選択される前に、既にＰＯＰ広告票の基準画像が選択され、選択リンクデータベース１２ｆに基準画像コードと上記識別情報が登録されている場合には、ステップＳ２７で、商品コードがこれに対応する識別情報に対応付けられて選択リンクデータベース１２ｆに登録されることになる。
【００８９】
次に、ＰＯＰ基準画像選択処理について説明する。
【００９０】
図１２は、ＰＯＰ広告票作成サーバ１の制御部１１におけるＰＯＰ基準画像選択処理を示すフローチャートである。
【００９１】
図１２に示すＰＯＰ基準画像選択処理が実行されると、制御部１１は、提示画面データベース１２ｈに記憶されたＰＯＰ基準画像等表示画面の画面データ等、及びＰＯＰ用商品データベース１２ｂに記憶された広告印刷物に係る情報及び商品情報に係る商品データ（店舗Ａの識別情報に対応。また、本部の端末装置２からの接続の場合、上記ステップＳ８にて取得された店舗Ａ又はＢの識別情報に対応）等を取得して、当該画面データ等及び上記取得した商品データ等を、インターネット５を介して端末装置３に送信する（ステップＳ３１）。なお、未だ、店舗Ａにて商品情報が選択されておらず、ＰＯＰ用商品データベース１２ｂに記憶されていない場合には、上記商品データは送信されず、商品情報は表示されない。
【００９２】
こうして端末装置３のモニタ上に表示されたＰＯＰ基準画像等表示画面の一例を図１３に示す。
【００９３】
図１３に示すように、ＰＯＰ基準画像等表示画面３４には、上記処理にて選択された商品情報が一覧（リスト）形式で表示されていると共に、ＰＯＰ基準画像表示部３４ａ及び配置データ表示部３４ｂ、更には選択終了ボタン３４ｃが設けられている。
【００９４】
ＰＯＰ基準画像表示部３４ａには、大ＰＯＰ基準画像表示欄３４１、中ＰＯＰ基準画像表示欄３４２、及び小ＰＯＰ基準画像表示欄３４３が設けられており、それぞれの欄に対応してＰＯＰ基準画像選択ボタン３４４〜３４６が設けられている。大ＰＯＰ基準画像表示欄３４１には選択された大きいＰＯＰ広告票の基準画像が表示され、小ＰＯＰ基準画像表示欄３４３には選択された小さいＰＯＰ広告票の基準画像が表示され、中ＰＯＰ基準画像表示欄３４２には選択された中間（大きいＰＯＰ広告票と小さいＰＯＰ広告票の中間の大きさ）のＰＯＰ広告票の基準画像が表示されることになる。
【００９５】
一方、配置データ表示部３４ｂには、大ＰＯＰ配置データ表示欄３４７、中ＰＯＰ配置データ表示欄３４８、及び小ＰＯＰ配置データ表示欄３４９が設けられている。大ＰＯＰ配置データ表示欄３４７には選択された大きいＰＯＰ広告票の配置データが表示され、小ＰＯＰ配置データ表示欄３４９には選択された小さいＰＯＰ広告票の配置データが表示され、中ＰＯＰ表示欄３４８には選択された中間のＰＯＰ広告票の配置データが表示される。
【００９６】
このような表示状態において、例えば、ユーザが端末装置３の入力部、例えばマウスを操作して大ＰＯＰ基準画像表示欄３４１に対応するＰＯＰ基準画像選択ボタン３４４を指定（クリック）すると、制御部１１は、これを認識し（ステップＳ３２：Ｙ）、基準画像提示手段として機能して、提示画面データベース１２ｈに記憶されたＰＯＰ基準画像選択画面の画面データ等、及びＰＯＰ基準画像データベース１２ｃに記憶された大きいＰＯＰ広告票の複数種類の基準画像に係る基準画像データを取得して、当該画面データ等及び上記取得した基準画像データ等を、インターネット５を介して端末装置３に提示（送信）する（ステップＳ３３：つまり、複数種類の基準画像を選択可能に提示する）。
【００９７】
なお、上記ステップＳ３２において、制御部１１は、上記処理にて選択された商品情報が選択されている場合、この商品情報を認識している。また、複数種類の商品についての商品情報が選択されている場合には、選択された何れか一つ（例えば、ＰＯＰ基準画像等表示画面３４における商品情報のリストの一番上の商品についての商品情報）の商品についての商品情報を現在認識（現在選択）している。但し、かかる商品情報の認識は、例えば、ユーザが入力部を操作してＰＯＰ基準画像等表示画面３４における上記リスト内の所望の商品情報の表示欄（表示行）を選択（指定）すると、その選択（指定）された商品についての商品情報に切り換ることになる。
【００９８】
こうして端末装置３のモニタ上に表示されたＰＯＰ基準画像選択画面の一例を図１４に示す。
【００９９】
図１４に示すように、ＰＯＰ基準画像選択画面３５には、デザインの異なるＰＯＰ広告票の複数（ここでは８つ）の基準画像が配列されて表示されており、それぞれの基準画像に対応して選択ボタン３５ａ〜３５ｈが設けられている。
【０１００】
このような表示状態において、例えば、ユーザが端末装置３の入力部、例えばマウスを操作して符号３５ｉ部の基準画像に対応する選択ボタン３５ａを指定（クリック）する（つまり、符号３５ｉ部の基準画像が選択される）と、制御部１１は、これを認識し（ステップＳ３４：Ｙ）、選択されたＰＯＰ広告票の基準画像に対応する基準画像コードを店舗Ａの識別情報及び商品コード（上記処理にて商品情報が選択されている場合）に対応付けて選択リンクデータベース１２ｆに記憶（登録）する（ステップＳ３５）。
【０１０１】
なお、上記処理においては、各商品についての商品情報毎にＰＯＰ広告票の基準画像を割り当てるように構成したが、複数種類の商品についての商品情報が既に選択され、ＰＯＰ基準画像等表示画面３４に表示されている場合、複数種類の商品それぞれに対し一括して、上記選択されたＰＯＰ広告票の基準画像を割り当て、その後に、各商品についての商品情報を選択して個々にＰＯＰ広告票の基準画像を割り当てるように構成してもよい。
【０１０２】
続いて、制御部１１は、提示画面データベース１２ｈに記憶された配置データ選択画面の画面データ等を取得する。そして、制御部１１は、配置データ提示手段として機能して、上記ステップＳ３５にて登録された基準画像コード（店舗Ａの識別情報に対応している）に対応する複数種類の配置データを配置データベース１２ｄから取得して、これを配置データ選択画面の画面データ等と共に、インターネット５を介して端末装置３に提示（送信）する（ステップＳ３６：つまり、複数種類の配置データを選択可能に提示する）。
【０１０３】
こうして端末装置３のモニタ上に表示された配置データ選択画面の一例を図１５に示す。
【０１０４】
図１５に示すように、配置データ選択画面３６には、デザインの異なるＰＯＰ広告票の複数（ここでは８つ）の配置データが配列されて表示されており、それぞれの配置データに対応して選択ボタン３６ａ〜３６ｈが設けられている。
【０１０５】
このような表示状態において、例えば、ユーザが端末装置３の入力部、例えばマウスを操作して選択ボタン３６ａを指定（クリック）する（つまり、符号３６ｉ部の配置データが選択される）と、制御部１１は、これを認識し（ステップＳ３７：Ｙ）、選択された配置データに対応する配置コードを上記ステップＳ３５にて登録された基準画像コード（店舗Ａの識別情報に対応している）に対応付けて選択リンクデータベース１２ｆに記憶（登録）する（ステップＳ３８）。続いて、制御部１１は、上記ＰＯＰ基準画像等表示画面の画面データ等、及び上記登録された配置コードに対応する配置データを取得して、インターネット５を介して端末装置３に送信する（ステップＳ３９）。
【０１０６】
こうして端末装置３のモニタ上に表示されたＰＯＰ基準画像等表示画面３４の大ＰＯＰ基準画像表示欄３４１には、図示しないが、上記選択された図１４に示す符号３５ｉ部の基準画像が表示され、大ＰＯＰ配置データ表示欄３４７には、図示しないが、上記選択された図１５に示す符号３６ｉ部の配置データが表示されることになる。
【０１０７】
なお、小さいＰＯＰ広告票及び中間のＰＯＰ広告票についても、上記と同様の処理で、ＰＯＰ基準画像等表示画面３４における小ＰＯＰ基準画像表示欄３４３及び中ＰＯＰ基準画像表示欄３４２に、選択されたそれぞれの基準画像が表示され、小ＰＯＰ配置データ表示欄３４９及び中ＰＯＰ配置データ表示欄３４８に、選択されたそれぞれの配置データが表示されることになる。また、ここで選択されるＰＯＰ広告票の基準画像及び配置データは、大、中、小の何れか１又は２つであっても構わない。
【０１０８】
そして、ＰＯＰ広告票の基準画像及び配置データの選択を終了する場合、ユーザが端末装置３の入力部、例えばマウスを操作して選択終了ボタン３４ｃを指定（クリック）すると、制御部１１は、これを認識し（ステップＳ４０：Ｙ）、図７に示す提供サービス選択処理に戻る（ステップＳ１０に戻る）。
【０１０９】
なお、各商品についての商品情報に関して異なる種類のＰＯＰ広告票の基準画像及び配置データが選択された場合、ユーザが入力部を操作してＰＯＰ基準画像等表示画面３４における所望の商品情報の表示欄を選択する度に、ＰＯＰ基準画像等表示画面３４におけるＰＯＰ基準画像表示欄（３４１〜３４３）や配置データ表示欄（３４７〜３４８）におけるＰＯＰ広告票の基準画像や配置データの表示が切り換ることになる。
【０１１０】
また、上記のように配置データが選択され、ＰＯＰ基準画像等表示画面３４の配置データ表示部３４ｂに表示された後、大ＰＯＰ配置データ表示欄３４７、中ＰＯＰ配置データ表示欄３４８、及び小ＰＯＰ配置データ表示欄３４９のそれぞれの欄に対応して配置データ選択ボタンを表示させ、ユーザによる該ボタンの指定（クリック）により、図１５に示す配置データ選択画面３６を表示させ、ユーザが選択された配置データを変更できるように構成してもよい。
【０１１１】
次に、商品情報編集処理について説明する。
【０１１２】
図１６は、ＰＯＰ広告票作成サーバ１の制御部１１における商品情報編集処理を示すフローチャートである。
【０１１３】
図１６に示す商品情報編集処理が実行されると、制御部１１は、商品情報提示手段（商品情報変更手段及び商品情報付加手段）として機能し、ＰＯＰ用商品データベース１２ｂを参照して、店舗Ａの識別情報（本部の端末装置２からの接続の場合、上記ステップＳ８にて取得された店舗Ａ又はＢの識別情報）に対応する商品情報に係る商品データを取得すると共に、提示画面データベース１２ｈに記憶された商品情報編集画面の画面データ等を取得して、インターネット５を介して端末装置３に提示（送信）する（ステップＳ５１：つまり、当該商品情報を変更可能に提示すると共に、当該商品情報に付加すべき付加情報の入力を促す）。
【０１１４】
こうして端末装置３のモニタ上に表示された商品情報編集画面の一例を図１７に示す。図１７に示すように、商品情報編集画面３７には、上記処理にて選択された商品情報が一覧（リスト）形式で表示されており、各商品についての商品情報毎に、付加情報入力部３７ａ、商品情報変更入力部３７ｂ、及び登録ボタン３７ｃが設けられている。
【０１１５】
そして、付加情報入力部３７ａには、「人気商品」、「推薦」、「売れてます」等の複数のＰＯＰコメント選択欄（チェックボックス）３７１と、ＰＯＰコメント入力欄３７２とが設けられている。ユーザは、入力部、例えばマウスを操作して、ＰＯＰコメント選択欄３７１を指定（クリック）して所望のＰＯＰコメント（ＰＯＰ広告票に掲載すべき店舗Ａ固有のコメント）を付加情報として選択することができる。また、ユーザは、入力部、例えばキーボードを操作して、商品毎に、ＰＯＰコメント入力欄３７２にＰＯＰコメントを付加情報として入力することができる。
【０１１６】
また、商品情報変更入力部３７ｂには、商品情報のうち商品価格（メーカ希望価格、通常価格、売価）及び、割引率が変更可能に表示（各入力欄に表示）されており、ユーザは、入力部、例えばキーボードを操作して、商品毎に、これらの商品価格及び割引率を変更することができる。なお、メーカ希望価格、通常価格、売価、及び割引率についてはＰＯＰ広告票に掲載するか否かを選択する入力欄も設けられている。
【０１１７】
ユーザが、必要に応じて、入力部を操作して、付加情報入力部３７ａ及び商品情報変更入力部３７ｂにて、上記付加情報の入力，選択や、上記商品情報の変更を行い、登録ボタン３７ｃを例えばマウスにより指定（クリック）すると、例えば入力，選択された付加情報に係る付加データ、及び変更された商品情報に係る商品データ等（識別情報を付加してもよい）がインターネット５を介してＰＯＰ広告票作成サーバ１に送信される。
【０１１８】
ＰＯＰ広告票作成サーバ１の制御部１１が、かかる付加情報に係る付加データ、又は／及び変更された商品情報に係る商品データ等を受信すると（ステップＳ５２：Ｙ）、ＰＯＰ用商品データベース１２ｂに記憶されている店舗Ａの識別情報に対応する商品情報を変更（更新）し、上記商品情報に係る商品データに対応付けて付加情報に係る付加データをＰＯＰ用商品データベース１２ｂに記憶する（ステップＳ５３）。こうして、図７に示す提供サービス選択処理に戻る（ステップＳ１０に戻る）。
【０１１９】
なお、上記において店舗Ａにおける商品情報付加権限設定が「店舗」、商品情報変更権限設定が「本部」になっているとした場合には、付加情報入力部３７ａにおける上記付加情報の入力及び選択が可能であるが、商品情報変更入力部３７ｂにおける入力が不可（ユーザが、入力部を操作して商品情報の変更をできない）となるように表示される（その逆も同様）。
【０１２０】
次に、ＰＯＰ画像作成・取得処理ついて説明する。
【０１２１】
図１８は、ＰＯＰ広告票作成サーバ１の制御部１１におけるＰＯＰ画像作成・取得処理を示すフローチャートである。
【０１２２】
図１８に示すＰＯＰ画像作成・取得処理が実行されると、制御部１１は、選択リンクデータベース１２ｆを参照して、店舗Ａの識別情報（本部の端末装置２からの接続の場合、上記ステップＳ８にて取得された店舗Ａ又はＢの識別情報）に対応する商品コード、基準画像コード、及び配置コードを取得する。なお、商品コードに対応する基準画像コード、及び配置コードがない場合には、これらのコードは取得されない。
【０１２３】
そして、制御部１１は、ＰＯＰ用商品データベース１２ｂから当該商品コードに対応する商品情報に係る商品データを、ＰＯＰ基準画像データベース１２ｃから当該基準画像コードに対応する基準画像データを、配置データベース１２ｄから当該配置コードに対応する配置データを、それぞれ取得すると共に、提示画面データベース１２ｈに記憶されたＰＯＰ画像作成・取得処理画面の画面データ等を取得して、インターネット５を介して端末装置３に提示（送信）する（ステップＳ６１）。なお、ＰＯＰ用商品データベース１２ｂに商品情報が未だ登録されていない場合には、制御部１１は、端末装置３にその旨のメッセージを表示させる。
【０１２４】
こうして端末装置３のモニタ上に表示されたＰＯＰ画像作成・取得画面の一例を図１９に示す。
【０１２５】
図１９に示すように、ＰＯＰ画像作成・取得画面３８には、上記処理にて選択された商品情報の一覧（リスト）、上記処理にて選択されたＰＯＰ広告票の基準画像及びこれに対応する配置データが表示されていると共に、各商品に対応して選択入力欄３８ａが設けられている。更に、ＰＯＰ画像作成・取得画面３８には、ＰＯＰ作成ボタン３８ｂ、ＰＯＰ取得ボタン３８ｃ、及び終了ボタン３８ｄが設けられている。
【０１２６】
ユーザが、端末装置３の入力部、例えばマウスを操作して、表示されたリストにおけるＰＯＰ広告票の画像を作成したい商品に対応する選択入力欄３８ａをチェック（つまり、商品についての商品情報を選択）して、ＰＯＰ作成ボタン３８ｂを指定（クリック）すると、制御部１１は、選択された１又は複数種類の商品についての商品情報を認識し（ステップＳ６２：Ｙ）、選択リンクデータベース１２ｆを参照して、選択された商品情報に対応する商品コードに対応し、かつ店舗Ａの識別情報（本部の端末装置２からの接続の場合、上記ステップＳ８にて取得された店舗Ａ又はＢの識別情報）に対応する基準画像コード及び配置コードを取得する（但し、商品コードに対応する基準画像コード、及び配置コードがない場合には取得されない）。
【０１２７】
続いて、制御部１１は、データ取得手段として機能し、店舗Ａの識別情報（本部の端末装置２からの接続の場合、上記ステップＳ８にて取得された店舗Ａ又はＢの識別情報）に対応する商品コードに対応する商品情報に係る商品データ（商品情報が変更されている場合には、変更された商品情報に係る商品データ）と、付加情報が付加されている場合には付加情報に対応する付加データと、当該基準画像コードに対応する基準画像データと、当該配置コードに対応する配置データを、それぞれＰＯＰ用商品データベース１２ｂ等から取得する（ステップＳ６３）。なお、ＰＯＰ用商品データベース１２ｂから取得される商品情報については、その全部であってもよいし、一部（例えば配置データにおいて配置が示されている商品情報）であってもよい。
【０１２８】
次に、制御部１１は、ＰＯＰ画像作成手段として機能し、取得された各データに基づき、当該商品データにおける商品情報を、当該配置データにより示されたＰＯＰ広告票の基準画像上の位置に配置（例えば、上記図３を用いて説明した各領域に、商品情報が流し込まれる）してＰＯＰ広告票の画像データを作成する（ステップＳ６４）。なお、複数種類の商品に関して、商品データ、基準画像データ、及び配置データが取得されている場合には、複数種類の商品についてのＰＯＰ広告票の画像データが作成されることになる。
【０１２９】
続いて、制御部１１は、作成されたＰＯＰ広告票の画像データを、店舗Ａの識別情報及び商品コードに対応付けてＰＯＰ作成画像データベース１２ｅに記憶（登録）する（ステップＳ６５）。そして、制御部１１は、作成されたＰＯＰ広告票の画像データ及び画面データ等を、インターネット５を介して端末装置３に提示（送信）する（ステップＳ６６）。
【０１３０】
こうして端末装置３のモニタ上に表示されたＰＯＰ広告票の画像の一例を図２０に示す。図２０の例では、作成された大、中、小のＰＯＰ広告票の画像が表示されている。そして、例えばユーザが端末装置３の入力部を操作してこれに接続された印刷機（プリンタ）からＰＯＰ広告票を印刷して使用することができる。なお、選択された商品情報に係る商品データに対応するＰＯＰ基準画像データ及び配置データの一方又は双方が登録されていない場合には、その商品についてのＰＯＰ広告票の画像データを作成できない（未だ、全てのデータが選択されていないため）旨が端末装置３のモニタ上に表示されることになる。
【０１３１】
また、ユーザが、例えば例えばマウスを操作して、表示されたリストにおけるＰＯＰ広告票の画像データを取得（画像データのダウンロード）したい商品に対応する選択入力欄３８ａをチェックして、ＰＯＰ取得ボタン３８ｃを指定（クリック）すると、制御部１１は、選択された１又は複数種類の商品についての商品情報を認識し（ステップＳ６７：Ｙ）、ＰＯＰ作成画像データベース１２ｅを参照して、店舗Ａの識別情報に対応し（本部の端末装置２からの接続の場合、上記ステップＳ８にて取得された店舗Ａ又はＢの識別情報）、かつ選択された商品情報に対応する作成されたＰＯＰ広告票の画像を取得し（つまり、店舗Ｂの識別情報では，店舗Ａの当該ＰＯＰ広告票の画像を取得できない）、インターネット５を介して端末装置３に送信（ダウンロード）する（ステップＳ６８）。なお、選択された商品情報に対応する商品コードに対応する作成されたＰＯＰ広告票の画像が登録されていない場合には、その商品についてのＰＯＰ広告票の画像データを提供できない旨が端末装置３のモニタ上に表示されることになる。
【０１３２】
そして、ユーザが端末装置３の入力部、例えばマウスを操作して終了ボタン３８ｄを指定（クリック）すると、制御部１１は、これを認識し（ステップＳ６９：Ｙ）、図７に示す提供サービス選択処理に戻る（ステップＳ１０に戻る）。
【０１３３】
こうして、作成されたＰＯＰ広告票は、印刷され店舗Ａ，Ｂにて使用されることになる。
【０１３４】
なお、上記において店舗ＡにおけるＰＯＰ画像作成権限設定が「店舗」、ＰＯＰ画像取得権限設定が「本部」になっているとした場合には、ＰＯＰ作成ボタン３８ｂの指定によりＰＯＰ広告票の作成はできるが、ＰＯＰ取得ボタン３８ｃの動作が不能（ハイパーリンク機能がロック）となるように表示される（その逆も同様）。
【０１３５】
以上説明したように、第１実施形態によれば、チラシ等の広告印刷物に掲載される商品情報をそのまま、或いは必要な付加、変更を加えてＰＯＰ広告票の掲載される商品情報として効果的に流用することができるので、ＰＯＰ広告票の作成及び変更の作業負荷、及びＰＯＰ広告票の掲載される商品情報の確認（校正）作業負荷等を軽減させ、適切なＰＯＰ広告票を効率良く作成することができる。
【０１３６】
また、広告印刷物とＰＯＰ広告票とに密接な関連性を持たせることが可能となり、販促効果を向上させることができる。
【０１３７】
また、ＰＯＰ広告票の基準画像や配置データ、更には、広告印刷物には無いＰＯＰ広告票固有の商品情報が複数用意され、ユーザは、その中から簡単に所望のＰＯＰ広告票のレイアウト、サイズ及び掲載すべき商品情報を選定し所望のＰＯＰ広告票を作成することができるので、格段に作業効率を向上させることができる。
【０１３８】
また、商品情報選択権限設定等の権限設定により、店舗と本部の連携によるＰＯＰ広告票の作成が可能となりワークフローの選択肢を増加させることが可能になった。
【０１３９】
更に、店舗毎に各権限設定を個別に行うことができ、店舗毎にワークフローを異ならせることができるので、より効率的にＰＯＰ広告票の画像データの作成を行うことができる。
【０１４０】
（第２実施形態）
先ず、図２１を参照して本発明の第２実施形態にかかるＰＯＰ広告票作成システムの構成について説明する。なお、図２１にＰＯＰ広告票作成システムおいて、図１に示すＰＯＰ広告票作成システムと同様の構成部分については同一の符号を付し説明を省略する。
【０１４１】
図２１は、第２実施形態にかかるＰＯＰ広告票作成システムのハードウェア構成の一例を示す図である。図２１に示すＰＯＰ広告票作成システムＳＸでは、図１に示すＰＯＰ広告票作成システムＳに比べ、本部用に設置される売上管理サーバ６と、店舗Ａ，Ｂ用として設置にされるＰＯＳ（Point Of Sale）端末７，８とが更に含まれ、これらがインターネット５に接続されている。売上管理サーバ６及びＰＯＳ端末７，８は、インターネット５を介してＰＯＰ広告票作成サーバ１Ｘに接続し、相互にデータの送受信が可能になっている。そして、更に、ＰＯＰ広告票作成システムＳＸには、移動体通信網（無線基地局及び交換局を含む）等及びインターネット５を介してＰＯＰ広告票作成サーバ１Ｘに接続可能な移動型通信端末（例えば、携帯電話機、ＰＨＳ（Personal Handyphone System）、ＰＤＡ（Personal Digital Assistant）、携帯型パソコン等）９が含まれている。
【０１４２】
第２実施形態におけるＰＯＰ広告票作成サーバ１は、その構成は、第１実施形態におけるＰＯＰ広告票作成サーバ１の構成と同様であるが、第１実施形態におけるＰＯＰ広告票作成サーバ１の機能に加えて、売上管理サーバ６又はＰＯＳ（Point Of Sale）端末７，８からＰＯＳ情報を取得し、かかるＰＯＳ情報を上述した商品情報と共に端末装置２〜４に提示する機能、及び移動型通信端末９から他の店舗（例えば店舗Ａ，Ｂの競合店（他の流通小売業者の店舗））の商品情報（以下、「他店舗商品情報」という）を取得し、かかるＰＯＳ情報を上述した商品情報と共に端末装置２〜４に提示する機能等を有している。
【０１４３】
ここで、ＰＯＳ情報には、例えば、商品の売上高、商品の販売数、利益率等の情報が含まれる。このようなＰＯＳ情報は、売上管理サーバ６、及びＰＯＳ端末７，８にて、例えば商品コード及び各店舗の識別情報（店舗を特定できるものであればどのような情報であってもよい）が対応付けられて商品毎に管理されている。また、売上管理サーバ６では全店舗のＰＯＳ情報が、ＰＯＳ端末７，８では、それぞれの店舗Ａ，ＢのＰＯＳ情報が管理されている。このようなＰＯＳ情報は、ＰＯＰ広告票作成時に指標となりうる情報であるといえる。
【０１４４】
また、他店舗商品情報には、例えば、競合店にて販売されている商品のＰＯＰ広告票に掲載された商品価格（メーカ希望価格、通常価格、売価）、割引率、商品の購買促進情報、及びＰＯＰコメントなどのＰＯＰ広告票作成時に指標となりうる情報が含まれる。
【０１４５】
次に、第２実施形態にかかるＰＯＰ広告票作成システムＳＸの動作についてＰＯＰ広告票作成サーバ１を主体として説明する。なお、第１実施形態におけるＰＯＰ広告票作成サーバ１の制御部１１の処理と同様の処理については説明を省略する。
【０１４６】
第２実施形態では、例えば、図７に示す提供サービス選択処理におけるステップＳ１０により端末装置（２〜４の何れか）のモニタ上に表示される提供サービス選択画面３１には、アイコン３１ａ〜３１ｄに加えて、ＰＯＳ情報取得処理アイコンと、他店舗商品情報取得処理アイコンとが更に表示される。
【０１４７】
このような表示状態において、ユーザが端末装置（２〜４の何れか）の入力部、例えばマウスによりＰＯＳ情報取得処理アイコンを選択（指定）すると、制御部１１は、これを認識し（ステップＳ１１：Ｙ）、ＰＯＳ情報取得処理を実行する（ステップＳ１２）。
【０１４８】
図２２は、ＰＯＰ広告票作成サーバ１の制御部１１におけるＰＯＳ情報取得処理を示すフローチャートである。
【０１４９】
図２２の処理において、先ず、制御部１１は、ユーザ登録データベースに基づき、図７に示すステップＳ２にて受信された識別情報が、本部の識別情報であるか否かを判別する（ステップＳ７１）。識別情報が本部の識別情報である場合（ステップＳ７１：Ｙ）、制御部１１は、ＰＯＳ情報取得手段として機能し、予め設定されているアドレス情報に基づき、インターネット５を介して売上管理サーバ６に接続し、当該売上管理サーバ６に店舗Ａ及びＢのＰＯＳ情報を要求し、当該ＰＯＳ情報、商品コード及び店舗の端末装置の識別情報を取得する（ステップＳ７２）。一方、識別情報が本部の識別情報でない場合（ステップＳ７１：Ｎ）、制御部１１は、ＰＯＳ情報取得手段として機能し、インターネット５を介してＰＯＳ端末７又は８に接続し、当該ＰＯＳ端末７又は８に店舗Ａ又はＢのＰＯＳ情報を要求し、ＰＯＳ情報及び商品コードを取得する（ステップＳ７３）。このようなＰＯＳ情報取得処理の間、ＰＯＰ広告票作成サーバ１と端末装置との間の接続状態を一端切断し、ＰＯＳ情報の取得後復帰するようにしてもよいし、ＰＯＰ広告票作成サーバ１と端末装置との間の接続状態を維持するように構成してもよい。
【０１５０】
続いて、制御部１１は、取得したＰＯＳ情報をＰＯＰ用商品データベース１２ｂに記憶された商品コード及び該当する店舗の識別情報に対応付けて記憶（登録）する（ステップＳ７４）。こうして図７に示す提供サービス選択処理に戻る（ステップＳ１０に戻る）。
【０１５１】
なお、ＰＯＰ広告票作成サーバ１は、ＰＯＳ情報の取得に当たって、上記処理に拠らなくてもよい。例えば、定期的に売上管理サーバ６に接続してＰＯＳ情報を取得しＰＯＰ用商品データベース１２ｂに記憶するように構成してもよい。
【０１５２】
一方、上記提供サービス選択画面３１の表示状態において、このような表示状態において、ユーザが端末装置（２〜４の何れか）の入力部、例えばマウスにより他店舗商品情報取得処理アイコンを選択（指定）すると、制御部１１は、これを認識し（ステップＳ１１：Ｙ）、他店舗商品情報取得処理を実行する（ステップＳ１２）。
【０１５３】
図２３は、ＰＯＰ広告票作成サーバ１の制御部１１における他店舗商品情報取得処理を示すフローチャートである。
【０１５４】
図２３の処理において、先ず、制御部１１は、例えばメールサーバ（ＰＯＰ広告票作成サーバ１内にあっても、外にあってもよい）に接続し移動型通信端末９から電子メールが着信しているか否かをメールアドレスに基づき判別する（ステップＳ８１）。つまり、移動型通信端末９のユーザ（流通小売業者の調査員）が、競合店に入り、そこで陳列されている商品のうち、調査対象の商品のＰＯＰ広告票の内容を確認した後、移動型通信端末９のメール入力画面に、例えばその商品の商品コード、他店舗商品情報の順に、これらの情報を入力してその電子メールをＰＯＰ広告票作成サーバ１宛に送る。
【０１５５】
移動型通信端末９から電子メールが着信している場合には（ステップＳ８１：Ｙ）には、制御部１１は、当該電子メールの本体部分に記述されたテキストデータを読み取り、その中にＰＯＰ用商品データベース１２ｂに記憶された商品コードが含まれているか否かを判別する（ステップＳ８２）。商品コードが含まれている場合には（ステップＳ８２：Ｙ）、制御部１１は、他店舗商品情報取得手段として機能し、例えば商品コードの後に続くデータを他店舗商品情報として取得し、その他店舗商品情報をＰＯＰ用商品データベース１２ｂに記憶された商品コードに対応付けて（全ての店舗の識別情報に対応付ける）記憶（登録）する（ステップＳ８３）。こうして図７に示す提供サービス選択処理に戻る（ステップＳ１０に戻る）。
【０１５６】
なお、ＰＯＰ広告票作成サーバ１は、他店舗商品情報の取得に当たって、上記処理に拠らなくてもよい。例えば、移動型通信端末９のユーザがＰＯＰ広告票作成サーバ１のＵＲＬを指定してＰＯＰ広告票作成サーバ１に接続すると、制御部１１は、移動型通信端末９に対し、他店舗商品情報入力画面を表示させる。他店舗商品情報入力画面には、例えば商品コード及び商品名のリストが表示されており、移動型通信端末９のユーザが、その商品コードに対応させて他店舗商品情報を入力しＰＯＰ広告票作成サーバ１に送信することにより、ＰＯＰ広告票作成サーバ１が、他店舗商品情報を取得し、商品コードに対応付けてＰＯＰ用商品データベース１２ｂに記憶する。
【０１５７】
以上の取得されＰＯＰ用商品データベース１２ｂに記憶されたＰＯＳ情報や、他店舗商品情報は、上述した商品情報選択処理にて表示される商品情報選択画面３３、ＰＯＰ基準画像選択処理にて表示されるＰＯＰ基準画像等表示画面３４、商品情報編集処理にて表示される商品情報編集画面３７、及びＰＯＰ画像作成・取得処理にて表示されるＰＯＰ画像作成・取得画面３８における商品情報のリストにおける各商品に対応付けて表示されることになる。このうち商品情報編集処理を例にとって説明する。
【０１５８】
先ず、図１６に示す商品情報編集処理のステップＳ５１では、制御部１１は、ＰＯＰ用商品データベース１２ｂを参照して、店舗Ａの識別情報に対応する商品情報に係る商品データと、これに対応するＰＯＳ情報及び他店舗商品情報を取得すると共に、商品情報編集画面の画面データ等を取得して、インターネット５を介して端末装置３に提示（送信）する（つまり、商品情報を選択可能に提示すると共に、当該商品情報に対応付けてＰＯＳ情報及び他店舗商品情報を提示する）。
【０１５９】
こうして端末装置３のモニタ上に表示された商品情報編集画面の一例を図２４に示す。図２４に示すように、商品情報編集画面３９には、商品情報が一覧（リスト）形式で表示されており、各商品についての商品情報毎に、ＰＯＳ情報表示欄３９ａ及び他店舗商品情報表示欄３９ｂ等が設けられている。その他については商品情報編集画面３７と同様の画面構成である。ＰＯＳ情報表示欄３９ａには上記にて取得されたＰＯＳ情報が表示され、他店舗商品情報表示欄３９ｂには上記にて取得された他店舗商品情報が取得されている。なお、以降の処理については第１実施形態と同様であるので説明を省略する。
【０１６０】
以上説明したように第２実施形態によれば、ユーザが例えばＰＯＰ広告票に掲載すべき商品情報を編集（変更及び付加）する際に、その商品情報に対応付けられて商品の売上高、商品の販売数等のＰＯＳ情報が表示されるので、ユーザは、その商品の売上等に応じてＰＯＰ広告票に掲載する売価等の商品情報をより効率良く設定することができる。
【０１６１】
また、ユーザが例えばＰＯＰ広告票に掲載すべき商品情報を編集（変更及び付加）する際に、その商品情報に対応付けられて競合店における同一商品の売価等の他店舗商品情報が表示されるので、ユーザは、その商品の競合店における売価等に応じてＰＯＰ広告票に掲載する売価等の商品情報をより効率良く設定することができる。
【０１６２】
従って、第２実施形態によれば、第１実施形態における効果に加えて、ＰＯＰ広告票による販促効果を向上させることができる。
【０１６３】
なお、上記第２実施形態においては、各商品についての商品情報（商品コード）に対応付けてＰＯＳ情報及び他店舗商品情報を表示するように構成したが、例えば、ＰＯＳ情報や、他店舗商品情報を取得する際に、一緒に商品コードを取得できない場合も想定される。このような場合、各画面における商品情報のリストの上部にＰＯＳ情報及び他店舗商品情報を一括して表示するように構成してもよい。
【０１６４】
また、上記第１及び第２実施形態において、図１９に示すＰＯＰ画像作成・取得画面３８における商品情報の一覧を、図１７に示す商品情報編集画面３７における商品情報の一覧と同様に構成、つまり、付加情報入力部３７ａ、商品情報変更入力部３７ｂ、及び登録ボタン３７ｃをＰＯＰ画像作成・取得画面３８に設け、ユーザが入力部を操作して付加情報の入力，選択や、商品情報の変更を行い、ＰＯＰ用商品データベース１２ｂに登録（又は再登録）できるように構成してもよい（この場合、図１６に示す商品情報編集処理が実行される）。
【０１６５】
更に、図１９に示すＰＯＰ画像作成・取得画面３８におけるＰＯＰ広告票の基準画像及び配置データが表示されている部分を、図１３に示すＰＯＰ基準画像等表示画面３４におけるＰＯＰ基準画像表示部３４ａ、配置データ表示部３４ｂと同様に構成し、更に選択終了ボタン３４ｃをＰＯＰ画像作成・取得画面３８に設け、ＰＯＰ基準画像及び配置データを選択（又は再選択）できるように構成してもよい（この場合、図１２に示すＰＯＰ基準画像選択処理が実行される）。
【０１６６】
このように構成すれば、ＰＯＰ広告票の画像を作成又は取得する際、ＰＯＰ広告票の基準画像、配置データ、及びそこに配置される商品情報を手直しすることができるので、ユーザは、より効率良く所望のＰＯＰ広告票の画像を作成、取得することができる。
【０１６７】
特に、以前作成したＰＯＰ広告票の画像を再度作成する際に便利であり、また、この際、第２実施形態においては、その商品情報に対応付けられてＰＯＳ情報及び他店舗商品情報が表示されるので、ユーザはこれを閲覧しながら、より一層効率良く、販促効果の高いＰＯＰ広告票の画像を作成することができる。
【０１６８】
また、上記第１及び第２実施形態において、例えば店舗Ａのユーザによって作成されＰＯＰ作成画像データベース１２ｅに店舗Ａの識別情報に対応付けられて登録されたＰＯＰ広告票の画像データを、他の店舗Ｂにて流用できるように構成してもよい。
【０１６９】
例えば、図８に示す提供サービス選択画面３１にＰＯＰ流用処理アイコンを設け、当該アイコンが店舗Ｂの端末装置４で選択されると、図１８に示すＰＯＰ画像作成・取得処理が実行されるようにする。そして、当該処置によって店舗Ｂの端末装置４のモニタ上に表示されたＰＯＰ画像作成・取得画面３８におけるＰＯＰ取得ボタン３８ｃの指定によって、ＰＯＰ広告票作成サーバ１の制御部１１が、ＰＯＰ作成画像データベース１２ｅに店舗Ａの識別情報に対応付けられて登録されたＰＯＰ広告票の画像データを、インターネット５を介して端末装置３に送信（ダウンロード）する（この場合、図１８に示すステップＳ６８とは異なり、識別情報による取得制限はなく、他の店舗Ａの当該ＰＯＰ広告票の画像を取得できるようになっている）。
【０１７０】
また、この場合も上記と同様、ＰＯＰ画像作成・取得画面３８における商品情報の一覧を、図１７に示す商品情報編集画面３７における商品情報の一覧と同様に構成し、ユーザが入力部を操作して付加情報の入力，選択や、商品情報の変更を行い、ＰＯＰ用商品データベース１２ｂに登録（又は再登録）できるようにしてもよい。この構成によれば、店舗Ａで作成したＰＯＰ広告票の画像を、店舗Ｂで流用し、かつアレンジを加えて使用することができるので、ＰＯＰ広告票の作成、変更等の作業負荷を軽減させることができる。また、この場合の第２実施形態では、商品情報に対応付けられてＰＯＳ情報及び他店舗商品情報が表示されるので、ユーザはこれを閲覧しながら、より一層効率良く、販促効果の高いＰＯＰ広告票の画像を作成することができる。
【図面の簡単な説明】
【０１７１】
【図１】第１実施形態にかかるＰＯＰ広告票作成システムのハードウェア構成の一例を示す図である。
【図２】ＰＯＰ広告票作成サーバ１の概要構成を示す機能ブロック図である。
【図３】（Ａ）は、ＰＯＰ広告票の基準画像の一例を示す図であり、（Ｂ）及び（Ｃ）は、配置データにより示される商品情報若しくは付加情報の位置の例を示す図である。
【図４】作成されたＰＯＰ広告票の画像の一例を示す図である。
【図５】選択リンクデータベース１２ｆにおける選択リンクデータの内容の一例を示す図である。
【図６】権限設定データベース１２ｇにおける各設定の一例を示す図である。
【図７】ＰＯＰ広告票作成サーバ１の制御部１１における提供サービス選択処理を示すフローチャートである。
【図８】端末装置３のモニタ上に表示された提供サービス選択画面の一例を示す図である。
【図９】ＰＯＰ広告票作成サーバ１の制御部１１における商品情報選択処理を示すフローチャートである。
【図１０】端末装置３のモニタ上に表示された広告印刷物選択画面の一例を示す図である。
【図１１】端末装置３のモニタ上に表示された商品情報選択画面の一例を示す図である。
【図１２】ＰＯＰ広告票作成サーバ１の制御部１１におけるＰＯＰ基準画像選択処理を示すフローチャートである。
【図１３】端末装置３のモニタ上に表示されたＰＯＰ基準画像等表示画面の一例を示す図である。
【図１４】端末装置３のモニタ上に表示されたＰＯＰ基準画像選択画面の一例を示す図である。
【図１５】端末装置３のモニタ上に表示された配置データ選択画面の一例を示す図である。
【図１６】ＰＯＰ広告票作成サーバ１の制御部１１における商品情報編集処理を示すフローチャートである。
【図１７】端末装置３のモニタ上に表示された商品情報編集画面の一例を示す図である。
【図１８】ＰＯＰ広告票作成サーバ１の制御部１１におけるＰＯＰ画像作成・取得処理を示すフローチャートである。
【図１９】端末装置３のモニタ上に表示されたＰＯＰ画像作成・取得画面の一例を示す図である。
【図２０】端末装置３のモニタ上に表示されたＰＯＰ広告票の画像の一例を示す図である。
【図２１】第２実施形態にかかるＰＯＰ広告票作成システムのハードウェア構成の一例を示す図である。
【図２２】ＰＯＰ広告票作成サーバ１の制御部１１におけるＰＯＳ情報取得処理を示すフローチャートである。
【図２３】ＰＯＰ広告票作成サーバ１の制御部１１における他店舗商品情報取得処理を示すフローチャートである。
【図２４】端末装置３のモニタ上に表示された商品情報編集画面の一例を示す図である。
【符号の説明】
【０１７２】
１  ＰＯＰ広告票作成サーバ
２  本部の端末装置
３，４  店舗の端末装置
５  インターネット
６  売上管理サーバ
７，８  ＰＯＳ端末
９  移動型通信端末
１１  制御部
１２  記憶部
１２ａ  広告印刷物用商品データベース
１２ｂ  ＰＯＰ用商品データベース
１２ｃ  ＰＯＰ基準画像データベース
１２ｄ  配置データベース
１２ｅ  ＰＯＰ作成画像データベース
１２ｆ  選択リンクデータベース
１２ｇ  権限設定データベース
１２ｈ  提示画面データベース
１３  通信部
Ｓ，ＳＸ  ＰＯＰ広告票作成システム
【図１】
2005085092.tif 000003
【図２】
2005085092.tif 000004
【図３】
2005085092.tif 000005
【図４】
2005085092.tif 000006
【図５】
2005085092.tif 000007
【図６】
2005085092.tif 000008
【図７】
2005085092.tif 000009
【図８】
2005085092.tif 000010
【図９】
2005085092.tif 000011
【図１０】
2005085092.tif 000012
【図１１】
2005085092.tif 000013
【図１２】
2005085092.tif 000014
【図１３】
2005085092.tif 000015
【図１４】
2005085092.tif 000016
【図１５】
2005085092.tif 000017
【図１６】
2005085092.tif 000018
【図１７】
2005085092.tif 000019
【図１８】
2005085092.tif 000020
【図１９】
2005085092.tif 000021
【図２０】
2005085092.tif 000022
【図２１】
2005085092.tif 000023
【図２２】
2005085092.tif 000024
【図２３】
2005085092.tif 000025
【図２４】
2005085092.tif 000026